(57)【要約】【課題】  小規模事業者に対して安価にブランドデザインのサービスを提供可能にするブランドデザイン開発システムを提供する。【解決手段】  ブランドデザイン開発システム１は、例えば、アイデンティティ基本要素作成部１１と、ステーショナリ作成部１３と、定型各種フォーマット作成部１５と、定型パワーポイント作成部１７と、会社案内作成部１９、定型ウェブサイト作成部２１と、展開アイテムリスト作成部２３と、デザインガイドライン作成部２５とを有する。【選択図】  図１
0003202189.tif 000002
【実用新案登録請求の範囲】
【請求項１】
企業のロゴを作成するロゴ作成手段と、
前記ロゴが付された名刺、レターヘッド、封筒を作成するステーショナリー作成手段と、
前記企業の見積書および請求書を作成する定型各種フォーマット作成手段と、
前記企業のプレゼン資料の定型データを作成する定型プレゼンデータ作成手段と、
前記企業の企業案内を作成する企業案内作成手段と、
前記企業のウェブサイトを作成するウェブサイト作成手段と、
前記企業のデザインのガイドラインを作成するガイドライン作成手段と
を有するブランドデザイン開発システム。
【請求項２】
前記ステーショナリー作成手段、前記定型各種フォーマット作成手段、前記定型プレゼンデータ作成手段、前記企業案内作成手段および前記ウェブサイト作成手段の少なくとも一つは、前記名刺、前記レターヘッド、前記封筒、前記見積書、前記請求書、前記プレゼン資料、前記企業案、前記ウェブサイトの少なくとも一つについて、それらについて予め規定された複数のパターンの中から一つを外部からの指示に応じて選択する
請求項１に記載のブランドデザイン開発システム。
【考案の詳細な説明】
【技術分野】
【０００１】
本考案は、ブランドデザインを開発するブランドデザイン開発システムに関する。
【背景技術】
【０００２】
企業のブランドイメージは企業価値を大きな影響を与える。このようなブランドイメージを高めるためにはブランドに係る全ての対象のデザインをどのように行うかが重要である。
日本のデザインの大半は、広告代理店又は印刷業者・包材業者・ウェブ制作業者・サイン内装業者等の業種ごと、社内のデザイン部や下請けのデザイン会社が担っている。
【考案の開示】
【考案が解決しようとする課題】
【０００３】
ところで、ブランドデザインのような高度なノウハウを持つデザイン会社は小数である。そのため、ブランドデザインをデザイン業者に委託すると高価になる。
しかしながら、中小企業や個人事業主等の小規模事業者は、ブライドデザインに対するニーズがあるが、社内では行うことができないと共に、高価なサービスを利用できないという問題がある。
【０００４】
本考案は、このような問題を鑑みて案出されたものであり、小規模事業者に対して安価にブランドデザインのサービスを提供可能にするブランドデザイン開発システムを提供することを目的としている。
【課題を解決するための手段】
【０００５】
上述した従来技術の問題点を解決し、上述した目的を達成するため、本考案のブランドデザイン開発システムは、企業のロゴを作成するロゴ作成手段と、前記ロゴが付された名刺、レターヘッド、封筒を作成するステーショナリー作成手段と、前記企業の見積書および請求書を作成する定型各種フォーマット作成手段と、前記企業のプレゼン資料の定型データを作成する定型プレゼンデータ作成手段と、前記企業の企業案内を作成する企業案内作成手段と、前記企業のウェブサイトを作成するウェブサイト作成手段と、前記企業のデザインのガイドラインを作成するガイドライン作成手段とを有する。
【０００６】
好適には本考案のブランドデザイン開発システムの前記ステーショナリー作成手段、前記定型各種フォーマット作成手段、前記定型プレゼンデータ作成手段、前記企業案内作成手段および前記ウェブサイト作成手段の少なくとも一つは、前記名刺、前記レターヘッド、前記封筒、前記見積書、前記請求書、前記プレゼン資料、前記企業案、前記ウェブサイトの少なくとも一つについて、それらについて予め規定された複数のパターンの中から一つを外部からの指示に応じて選択する。
【考案の効果】
【０００７】
本考案によれば、小規模事業者に対して安価にブランドデザインのサービスを提供可能にするブランドデザイン開発システムを提供することができる。
【考案を実施するための最良の形態】
【０００８】
以下、本考案の実施形態に係るブランドデザイン開発システムを、図面を参照しながら説明する。
ブランドデザイン開発システム１は、企業の経営理念や経営戦略の持つメッセージをデザインとして視覚化し、各種アイテムに展開するために用いられる。また、ブランドデザイン開発システム１は、デザイン制作後の管理運営までを一括してサーポートするために用いられる。
【０００９】
図１は、本考案の実施形態に係るブランドデザイン開発システム１の全体構成図である。
【００１０】
図１に示すように、ブランドデザイン開発システム１は、例えば、アイデンティティ基本要素作成部１１と、ステーショナリ作成部１３と、定型各種フォーマット作成部１５と、定型パワーポイント作成部１７と、会社案内作成部１９、定型ウェブサイト作成部２１と、展開アイテムリスト作成部２３と、デザインガイドライン作成部２５とを有する。
【００１１】
ブランドデザイン開発システム１は、企業等の顧客からの要望に応じて、以下に示す成果品１〜８を作成する。
【００１２】
［成果品１］
アイデンティティ基本要素作成部１１は、以下の１０アイテムを成果品１として作成し、デジタルデータによって納品する。
０１  シンボルマーク、
０２  英文ロゴタイプ、
０３  和文ロゴタイプ、
０４  カラー、
０５  サブカラー、
０６  サブグラフィックス、
０７  和文タイポグラフィー、
０８  英文タイプフェイス・数字、
０９  シグネチャー、
１０  クリアランス
【００１３】
［成果品２］
ステーショナリ作成部１３は、定型ビジネスステーショナリー・５アイテム、オンデマンド印刷納品（１００部）を成果品２として作成して納品する。成果品２のデザインとしては、例えば、３パターンを用意し、このなかから顧客が選択する。各アイテムには、成果品１で作成したシンボルマーク等が付される。
【００１４】
０１  名刺（片面・５名分）、
０２  レターヘッド、
０３  セカンドリー、
０４  洋長３封筒、
０５  角２封筒
【００１５】
また、ステーショナリ作成部１３は、オプションとして顧客からの要望に応じて以下の５アイテムを作成し、納品する。
０１  窓付き封筒、
０２  ホルダー（タトー）A4版、
０３  クリアファイルA4版、
０４  パッケージ・紙袋、
０５  メモ帳
【００１６】
［成果品３］
定型各種フォーマット作成部１５は、以下の型各種フォーマット・５アイテムをWord・Exce（マイクロソフト社の商標）ソフトにて納品する。成果品３のデザインとしては、例えば、３パターンを用意し、このなかから顧客が選択する。各アイテムには、成果品１で作成したシンボルマーク等が付される。
０１  書類送付状、
０２  ファックス送信状、
０３  見積書、
０４  請求書、
０５  議事録
【００１７】
［成果品４］
定型パワーポイント作成部１７は、以下の定型パワーポイント・パワーポイントソフト スライドマスターを作成して納品する。成果品４のデザインとしては、例えば、３パターンを用意し、このなかから顧客が選択する。各アイテムには、成果品１で作成したシンボルマーク等が付される。
０１  タイトルページ、
０２  インデックスページ、
０３  中タイトルページ、
０４  コンテンツページ、
０５  エンドページ
【００１８】
［成果品５］
会社案内作成部１９は、以下の定型会社案内・A4版2つ折り（４ページ）オンデマンド印刷納品（１００部） を作成して納品する。成果品５のデザインとしては、例えば、３パターンを用意し、このなかから顧客が選択する。各アイテムには、成果品１で作成したシンボルマーク等が付される。
０１  会社案内企画・ページ立て構成、
０２  コンテンツ制作（キャッチコピー・ボディコピーリライティング）、
０３  デザイン制作（表１表４・コンテンツ２ページ）、
０４  版下データ制作
【００１９】
また、会社案内作成部１９は、オプションとして以下を作成して納品する。
０１  A4版  半観音開き（６ページ）・両観音開き（８ページ）
【００２０】
［成果品６］
定型ウェブサイト作成部２１は、定型ウェブサイト・Wordpress（WordPress ファウンデーションの商標）制作・シングルページ・レスポンシブデザインをして納品する。成果品６のデザインとしては、例えば、３パターンを用意し、このなかから顧客が選択する。各アイテムには、成果品１で作成したシンボルマーク等が付される。
０１  WEBディレクション、
０２  サイトマップ・コンテンツ制作：コピーリライティング、
０２  デザイン制作、
０４  コーディング、
０５  ドメイン登録代行
【００２１】
定型ウェブサイト作成部２１は、オプションとしてムービー制作に関する処理を行う。
【００２２】
［成果品７］
展開アイテムリスト作成部２３は、上記展開アイテムリスト・デザインガイドラインに編集・納品する。各アイテムのスペックリストを作成する。
【００２３】
［成果品８］
デザインガイドライン作成部２５は、デザインガイドライン・製本１部・CDーROM１部を作成して納品する。上記アイテムを体系的にガイドラインに編集する。
【００２４】
以上説明したように、ブランドデザイン開発システム１によれば、上述した成果品１〜７を効率的かつ安価に生成できる。すなわち、３パターンを用意し、このなかから顧客が選択することで、デザイン会社側のデザイン開発負担（時間）を軽減することができ、安価なサービスを実現できる。
【００２５】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２６】
例えば、アイデンティティ基本要素作成部１１と、ステーショナリ作成部１３と、定型各種フォーマット作成部１５と、定型パワーポイント作成部１７と、会社案内作成部１９、定型ウェブサイト作成部２１と、展開アイテムリスト作成部２３と、デザインガイドライン作成部２５との少なくとも一つの構成要素は、コンピュータがプログラムを実行することで実現してもよい。この場合は、各種情報を入力するキーボードやマウス等の入力手段と、処理結果を表示するディスプレイとを備える。また、これらの構成要素の少なくとも一つは、情報処理を行うハードウェアとして実現してもよい。
【００２７】
例えば、ブランドデザイン開発システム１は、図２に示すような構成を有する。
すなわち、ブランドデザイン開発システム１は、ディスプレイ１２３、操作部１２５、インタフェース１２７、メモリ１２９および処理回１３１は、データライン１２０を介して接続されている。
ディスプレイ１２３は、処理回路１３１の処理結果等を表示する。
操作部１２５は、キーボード、マウス、タッチパネル等の操作手段であり、ユーザの操作に応じた操作信号を処理回路３１に出力する。
【００２８】
インタフェース１２７は、外部装置との間でデータの入出力を行う。
メモリ１２９は、処理回路１３１が実行するプログラム、並びに処理回路１３１の処理に使われるデータや処理結果のデータを記憶する。
処理回路１３１は、上記プログラムを実行し、本実施形態で説明した上述した各種の処理を実行する。
【図面の簡単な説明】
【００２９】
【図１】図１は、本考案の実施形態に係るブランドデザイン開発システムの全体構成図である。
【図２】図２は、図１に示すブランドデザイン開発システムを実現するコンピュータの一例である。
【符号の説明】
【００３０】
１…ブランドデザイン開発システム
１１…アイデンティティ基本要素作成部
１３…ステーショナリ作成部
１５…定型各種フォーマット作成部
１７…定型パワーポイント作成部
１９…会社案内作成部
２１…定型ウェブサイト作成部
２３…展開アイテムリスト作成部
２５…デザインガイドライン作成部
【図１】
0003202189.tif 000003
【図２】
0003202189.tif 000004